(57)【要約】【課題】  共通化可能なプッシュスイッチを提供する。【解決手段】  フレキシブルプリント配線板４に形成された接点６を、スイッチノブ２を押圧操作することにより閉じるプッシュスイッチ１において、一つのスイッチノブ１で選択的に閉じられ接点６に対して複数の回路Ｃｔが前記フレキシブルプリント配線板４に形成されるとともに、そのスイッチノブ２に、押圧操作されることにより前記複数の回路Ｃｔのうち少なくとも一つの回路Ｃｔを残して他の回路Ｃｔを切断する切断部１０が形成されている。【選択図】  図１
2006134769.tif 000002
【特許請求の範囲】
【請求項１】
フレキシブルプリント配線板に形成された接点を、スイッチノブを押圧操作することにより閉じるプッシュスイッチにおいて、
一つのスイッチノブで選択的に閉じられ接点に対して複数の回路が前記フレキシブルプリント配線板に形成されるとともに、そのスイッチノブに、押圧操作されることにより前記複数の回路のうち少なくとも一つの回路を残して他の回路を切断する切断部が形成されていることを特徴とするプッシュスイッチ。
【請求項２】
一対の前記接点に対して、切断する回路が異なる切断部を有する複数種類のスイッチノブが用意されていることを特徴とする請求項１に記載のプッシュスイッチ。
【請求項３】
前記スイッチノブが複数個設けられるとともに、各スイッチノブごとに複数の回路が前記フレキシブルプリント配線板に形成され、かつ各スイッチノブにそれぞれ種類の相違する前記切断部が形成され、前記各スイッチノブの組み合わせによって前記フレキシブルプリント配線板に複数の回路を形成することを特徴とする請求項１に記載のプッシュスイッチ。
【発明の詳細な説明】
【技術分野】
【０００１】
この発明は、フレキシブルプリント配線板に形成された接点を、スイッチノブを押圧操作することにより開閉するプッシュスイッチに関するものである。
【背景技術】
【０００２】
プッシュスイッチは、一般的に、いわゆるスイッチングを行うスイッチノブや前記スイッチノブが収納されるスイッチケース等から構成される。このスイッチケースの内部には、スイッチノブの動作に基づいて接点をオン、オフする接点部や、回路を形成している基板もしくは配線板、イルミネーション等が収納されている。
【０００３】
前記配線板の一例としてフレキシブルプリント配線板（ＦＰＣ）等を使用することも行われている。このフレキシブルプリント配線板は可撓性を有する基板であり、例えば、絶縁体であるフィルム等の表面に銅などの導電体によって回路を形成した基板である。そのため、回路を形成するために金属のケーブル等で配線を行った場合と、フレキシブルプリント配線板を用いた場合とを比較すると、大幅に回路を小型、軽量化することができる。このような構造のプッシュスイッチの一例が特許文献１に記載されている。
【特許文献１】特開２００２−１５７９４３号公報
【発明の開示】
【発明が解決しようとする課題】
【０００４】
上記の特許文献１のプッシュスイッチは、操作ノブを押圧することにより、フレキシブルプリント配線板に形成された接点を閉じ、同時に節度発生機構を動作させて、節度感を生じさせるように構成されている。しかしながら、この特許文献１に記載された構成では、一つの操作ノブに対して一対（一つ）の接点および回路が設けられているので、開閉できる回路は一つに限られる。したがって、その操作ノブによって異なる回路を閉じ、もしくは異なる電気部品を操作する場合には、回路が形成されているフレキシブルプリント配線板自体を変更する必要が生じる。
【０００５】
また、スイッチパネルなどに複数の操作ノブを配列した構成の場合、その操作ノブの必要数や操作ノブの配列が異なる複数種類のスイッチパネルを必要とすれば、各種類ごとにフレキシブルプリント配線板を用意しなければならなくなる。そのために、フレキシブルプリント配線板自体の製造コストが高くなるのみならず、フレキシブルプリント配線板を用いたスイッチのコストが高くなるなどの問題があった。
【０００６】
この発明は上記の技術的課題に着目してなされたものであり、接点を備えているフレキシブルプリント配線板を共通化可能にしたプッシュスイッチを提供することを目的とするものである。
【課題を解決するための手段】
【０００７】
上記の目的を達成するために、請求項１の発明は、フレキシブルプリント配線板に形成された接点を、スイッチノブを押圧操作することにより閉じるプッシュスイッチであって、一つのスイッチノブで選択的に閉じられ接点に対して複数の回路が前記フレキシブルプリント配線板に形成されるとともに、そのスイッチノブに、押圧操作されることにより前記複数の回路のうち少なくとも一つの回路を残して他の回路を切断する切断部が形成されていることを特徴とするプッシュスイッチである。
【０００８】
また、請求項２の発明は、請求項１の発明において、一対の前記接点に対して、切断する回路が異なる切断部を有する複数種類のスイッチノブが用意されていることを特徴とするプッシュスイッチである。
【０００９】
さらに、請求項３の発明は、請求項１の発明において、前記スイッチノブが複数個設けられるとともに、各スイッチノブごとに複数の回路が前記フレキシブルプリント配線板に形成され、かつ各スイッチノブにそれぞれ種類の相違する前記切断部が形成され、前記各スイッチノブの組み合わせによって前記フレキシブルプリント配線板に複数の回路を形成することを特徴とするプッシュスイッチである。
【発明の効果】
【００１０】
請求項１の発明によれば、スイッチノブを押圧することにより、切断部によって所定の回路が切断され、そのスイッチノブによって閉じられる回路が選択される。したがって、必要とする回路を残して他の回路を切断する切断部を有するスイッチノブを選択して作用することにより、複数設けられている回路のいずれかを使用することができるので、フレキシブルプリント配線板を共通化することができる。したがってまた、フレキシブルプリント配線板を製造する金型や検査設備等も共通化して、フレキシブルプリント配線板やこれを用いたプッシュスイッチの製造コストを低減できる。さらに、フレキシブルプリント配線板を共通化することに伴って、プッシュスイッチの作業工程から、複数のフレキシブルプリント配線板から必要な１つのフレキシブルプリント配線板を選択する工程を省略することができる。その結果、プッシュスイッチの組み立てが容易になり、製造コストを低減できる。
【００１１】
また、請求項２の発明によれば、一つもしくは一対の接点が、選択されるスイッチノブに応じてことなる回路の接点となるので、その接点もしくはスイッチノブを所定の電気部品に対するものから他の電気部品に対するものに転用することが可能になり、この点でもスイッチノブやフレキシブルプリント配線板の共用化を図ることができる。
【００１２】
さらに請求項３の発明によれば、切断部がそれぞれ相違する複数のスイッチノブの組み合わせを変更することによって、前記切断部によって切断される回路を変更することができる。その結果、各スイッチノブの組み合わせによって複数の回路を実現できる。その結果、さらに効率良くフレキシブルプリント配線板を共通化できるので、プッシュスイッチの製造コストをさらに低減することができる。
【発明を実施するための最良の形態】
【００１３】
以下、本発明を実施した最良の形態について説明する。図１に示すプッシュスイッチ１は、スイッチノブ２と、スイッチケース３と、基板４とによって構成されている。このプッシュスイッチ１では、外側からスイッチケース３、スイッチノブ２の順で所定間隔をおいて配置されており、スイッチノブ２の一部はスイッチケース３の開口部３Ａからスイッチケース３の外側に突出している。さらに、スイッチケース３には基板４が収納されており、この基板４の表面には複数の回路が形成されている。この基板４には一例としてフレキシブルプリント配線板（ＦＰＣ）が使用されている。また、スイッチケース３の内側には接点部６と図示しないイルミネーション等が収納されており、この２つの電子部品が基板４に電気接続されている。一方、前記スイッチノブ２の内側には押圧部９が形成されており、前記押圧部９の反対側の面９Ａからスイッチノブ２が押圧されると押圧部９が接点部６に接触し、電源のオン、オフが行われるようになっている。
【００１４】
スイッチノブ２の外周部分の所定の箇所には、スイッチノブ２の押圧方向に突出して切断部１０が形成されている。プッシュスイッチ１において、スイッチノブ２が押圧される前には、切断部１０は基板４の回路の一部と対向して配置される。また、スイッチケース３の内部であって切断部１０と対向する前記回路の下方には、凹部１１が形成されている。
【００１５】
プッシュスイッチ１の作用を説明する。まず、スイッチノブ２の面９Ａが押圧される。そのため、スイッチノブ２の突出した部分がスイッチケース３の内部に収納される。このとき、図２に示すように、スイッチケース３の内部において、スイッチノブ２に設けられた切断部１０が対向して配置された基板４の回路の一部を切断する。さらに、スイッチノブ２が所定の位置まで収納されると押圧部９が接点部６に接触し電源の切替が行われ、必要な回路のみが導通する。
【００１６】
したがって、上記のプッシュスイッチ１では、スイッチノブ２を押圧するだけで、切断部１０によって基板４の所定の回路が切断され、基板４に必要な回路を形成することができる。その結果、基板４を共通化することができる。また、基板４が共通化することに伴って、基板４を形成する金型や検査設備等も共通化できる。その結果、さらにプッシュスイッチ１のコストを低減できる。さらに、基板４が共通化することに伴って、プッシュスイッチ１の作業工程から、複数の基板から必要な１つの基板を選択する工程を省略することができる。その結果、プッシュスイッチ１の組み立てが容易になり、コストを低減できる。
【００１７】
この発明の切断部の例を図３に示す。図３（ａ）に示す切断部は、断面形状がスイッチノブを押圧する方向に対して窪んでいる。切断部がこのような形状に形成された場合、図２に示す切断部１０のように基板４を打ち抜くことができる。そのため、切断部１０による基板４上の回路の切断が完全に行われ、その結果、基板４上に必要な回路形成を効率良く行うことができる。なお、このスイッチノブの押圧方向に対して窪んだ図３の（ａ）のような切断部にとしては、全体形状が円柱状、角形状のものが例示される。
【００１８】
また、この発明の切断部は、図３（ｃ）に示すようにスイッチノブの押圧方向に対して突出した断面形状にすることもできる。具体的には、切断部１０をスイッチノブの押圧方向に対して斜めに切断して先端部分を形成した形状とすることができる。図３の（ｃ）のような切断部としては、全体形状が円柱状、角形状のものが例示される。さらに、この発明の切断部は、図３（ｂ）に示すような中心部分に先端部分を形成した形状とすることもできる。図３の（ｂ）のような切断部にとしては、全体形状が三角錐状、円錐状のものが例示される。切断部１０を図３（ｂ）あるいは図３（ｃ）に示す各形状とした場合、図４に示すように、基板４の所定の一部分のみが切断されて切断されない他の部分が残る。その結果、基板４の切断部分が廃材とならず、この廃材を処理する分のコストを削減できる。
【００１９】
図５にプッシュスイッチ１が利用された例を示す。図５に示すプッシュスイッチ１は、複数個のスイッチノブ２が設けられる構成となっている。具体的には、図５に示すスイッチノブ２Ａ〜２Ｄは切断部１０の配置される位置およびその個数などが相違する構成となっている。このスイッチノブ２Ａ〜２Ｄの組み合わせを変更すると、図６ないし図９に示す複数種の回路を実現することができる。なお、図６ないし図９に示す回路例は、この発明のプッシュスイッチ１が車両のＥＣＵと電気的に接続された場合の例であり、図６ないし図９における半欠けの丸印は切断部１０によって回路Ｃｔが切断され、導通のない様子を示している。また、図６ないし図９に示す回路例では、スイッチノブ２Ａ〜２Ｄが必ず左側からアルファベット順に配列されることを条件としている。
【００２０】
上記の例では、スイッチノブ２Ａ〜２Ｄの配列、あるいは組み合わせを変更することによって、切断部１０で切断される回路Ｃｔを変更することができる。その結果、各スイッチノブの組み合わせによって複数の回路Ｃｔを実現することができる。その結果、さらに効率良く基板４を共通化することができるので、プッシュスイッチ１のコストを低減することができる。
【００２１】
なお、上述の例で基板４はフレキシブルプリント配線板とされたが、この発明の基板はフレキシブルプリント配線板に限定されず、スイッチノブの押圧によって切断できる強度の基板であれば任意の基板を使用できる。したがって、リジット基板であってもよい。
【図面の簡単な説明】
【００２２】
【図１】この発明のプッシュスイッチを模式化して示す縦断面図である。
【図２】そのスイッチノブの切断部の一例を示す部分断面図である。
【図３】この発明による切断部の形状の数例を示す縦断面図である。
【図４】図３の（ｃ）に示す切断部による切断状態を示す縦断面図である。
【図５】切断部の配列パターンが異なるスイッチノブの例を示す斜視図である。
【図６】図５のプッシュスイッチによって形成される回路の一例である。
【図７】図５のプッシュスイッチによって形成される回路の他の例である。
【図８】図５のプッシュスイッチによって形成される回路のさらに他の例である。
【図９】図５のプッシュスイッチによって形成される回路のさらに他の例である。
【符号の説明】
【００２３】
１…プッシュスイッチ、  ２…スイッチノブ、  ３…スイッチケース、  ４…基板（フレキシブルプリント配線板）、  ６…接点部、  １０…切断部、  Ｃｔ…回路。
【図１】
2006134769.tif 000003
【図２】
2006134769.tif 000004
【図３】
2006134769.tif 000005
【図４】
2006134769.tif 000006
【図５】
2006134769.tif 000007
【図６】
2006134769.tif 000008
【図７】
2006134769.tif 000009
【図８】
2006134769.tif 000010
【図９】
2006134769.tif 000011